(57)【特許請求の範囲】
【請求項１】
郵便物の検知対象物を検知し、この検知対象物に応じた処理を行う郵便物の処理装置において、
郵便物を立位状態で搬送する立位搬送手段と、
この立位搬送手段の搬送端に配置され、立位搬送手段の搬出側に突出して、搬出されフリー状態になった郵便物に接触することで、郵便物を立位状態から搬送方向に対して直交する方向に所定の角度傾斜するように倒す倒しレバーと、
この倒しレバーによって所定の角度に傾斜された郵便物を受け入れ、この郵便物を傾斜した状態で搬送する手段と
を備えることを特徴とする郵便物の処理装置。
【請求項２】
上記倒しレバーは、高さ位置の異なる一対のレバーを備えており、郵便物の搬送上流側に高さ位置の高い倒しレバーを備え、この下流側に高さ位置の低い倒しレバーを備えたことを特徴とする請求項１記載の郵便物の処理装置。
【請求項３】
多様な厚さ、幅を有する郵便物を一括して受け入れ次段へ供給する供給部と、
この供給部から供給された郵便物から自動処理に適さない厚さを有する郵便物を排除し、自動処理に適する厚さの郵便物のみを次段へ供給する厚さ選別部と、
この厚さ選別部から供給された郵便物をその上方部位から落とし込み、立位状態にして搬出する立位変換部と、
この立位変換部が受け入れた郵便物の幅を検知して、定形外の郵便物を排除し、定形の郵便物のみを次段へ供給する幅選別部と、
この幅選別部で選別された定形の郵便物を受入れ、１通ずつ所定間隔で取出すバッファ部と、
このバッファ部から取出された郵便物の検知対象物を検知する検知部と、
この検知部で検知対象物が検知された郵便物に押印する押印部と、
この押印部で押印処理がなされた郵便物を分類して集積する区分集積部とを具備した郵便物の処理装置において、
上記幅選別部で排除された定形外の郵便物を受け入れて立位状態で搬送する立位搬送手段と、この立位搬送手段の搬送端に配置され、上記立位搬送手段の搬出側に突出して、搬出されフリー状態になった郵便物に接触することで、郵便物を立位状態から搬送方向に対して直交する方向に所定の角度傾斜するように倒す倒しレバーと、この倒しレバーによって所定の角度に傾斜された郵便物を受け入れ、この郵便物を傾斜した状態で搬送して前記立位変換部へ戻す手段とを有してなるリサイクル部を具備したことを特徴とする郵便物の処理装置。
【発明の詳細な説明】
【０００１】
【産業上の利用分野】
本発明は、たとえば自動選別取揃え押印機等の郵便物の処理装置に関する。
【０００２】
【従来の技術】
近年、郵便物の自動処理化が進み、郵便物の自動選別取揃え押印機等の郵便物の処理装置が実用に供されている。
この自動選別取揃え押印機は、集められた多様な厚さ、幅を有する大量の郵便物を受入れ、所定の厚さよりも厚い厚物郵便物や所定の幅よりも広い広幅郵便物等の自動処理不可能な定形外郵便物を排除し、自動処理可能な定形郵便物に含まれる検知対象物、たとえば切手もしくはコントラストバーを検知するとともに方向を取揃える。この後、郵便物に押印がなされ、たとえば速達や普通郵便等に分類、集積するものである。
【０００３】
【発明が解決しようとする課題】
このような郵便物の処理装置において、所定の姿勢で搬送する郵便物を処理部に導くにあたって、最適な処理をなすため、処理部直前位置で郵便物の搬送姿勢を変更することがある。
【０００４】
たとえば、床面に対して立位状態で搬送している郵便物を、９０°姿勢変更して床面と平行な姿勢に変える。もしくは、それに近い角度に傾斜した姿勢に変更する場合がある。
【０００５】
従来においては、一対の搬送ベルトを立位状態にし、かつ互いのベルト面を接触させた状態にして同速度で無端走行させる。これらのベルト面に郵便物を介在挟持し、立位状態で搬送する。
【０００６】
所定位置において、一対の搬送ベルトは面接触したまま９０°もしくはそれに近い所定の傾斜角度にねじられ、その角度の状態で搬出部に至る。あるいは、この搬送ベルトとは別に、ねじられたベルトが備えられ、さらに別途搬出用の搬送ベルトが備えられる。
【０００７】
いずれにしても、立位状態で搬送された郵便物は、所定位置において９０°もしくはそれに近い所定の角度に姿勢が変更され、その姿勢で処理部へ搬出されることになる。
【０００８】
このようにして、郵便物の搬送を継続しながら姿勢変更をなすのに何らの支障もないが、構造上は問題が残っている。
すなわち、ねじりベルトを採用するにあたって、当然、郵便物に破損等の不具合が生じない状態で行わなければならず、そのため姿勢変更開始から完了迄に非常に長い距離を必要として、装置の大型化につながってしまう。
【０００９】
そして、このねじりの部分の搬送ベルトの調整が困難であって、密に面接触した状態を保持するには難しく、搬送途中で郵便物の位置がずれて、折損するに至る虞れがある。
【００１０】
したがって、このねじりベルトに代わる郵便物の姿勢変更手段の開発が望まれており、それには構造および制御の簡素化と、装置の小型化につながるものでなければならない。
【００１１】
一方、従来の郵便物の処理装置にあって、切手もしくはコントラストバーを検知する検知部へ郵便物を搬送するのに、郵便物がスキュー（傾き）したり、必要以上のギャップがあったり、二枚取り等が原因で検知できない場合がある。
【００１２】
これら郵便物は、当然、検知部へ搬送させることはなく、従来の装置においては一旦、上流側である幅選別部の第１幅選別の入り口まで戻してから再搬送させていた。
【００１３】
この第１幅選別の入り口には、量検知手段である量検知レバーが設けられていて、必要量以上の郵便物が一度に、多量に幅選別部に搬入されるか否かを検知し、量制御をなす。
【００１４】
このように、搬送条件がスキュー，ギャップ，二枚取り等が原因で検知対象外の郵便物である場合、その郵便物を上流の第１選別部の入り口までリサイクル（戻す）していた。
【００１５】
ところが、第１幅選別部の入り口へは、さらに上流側の厚さ選別部で選別された自動処理に適する厚さの郵便物が搬送されてきており、この入り口で上記リサイクルされた郵便物が合流する。したがって、このリサイクル合流部でのジャム（詰り）が生じ易いものである。
【００１６】
そして、無事リサイクル合流部を通過しても、多量の郵便物がまとまって上記量検知レバーの検知範囲外に導かれることから、量制御ができない等の問題があった。
【００１７】
本発明は、上記事情に基づきなされたもので、その第１の目的とするところは、ねじりベルトを用いることなく、極く簡素な構造で、かつ極く短距離の範囲で、郵便物の姿勢変更を確実に得られ、信頼性の向上を図れる郵便物の処理装置を提供しようとするものである。
【００１８】
第２の目的とするところは、検知部における検知ができない搬送条件の郵便類を最適位置へ戻すようにして、処理能力の向上を図れる郵便類の処理装置を提供しようとするものである。
【００１９】
【課題を解決するための手段】
本発明は上記課題を解決するため、請求項１記載のものは、郵便物の検知対象物を検知し、この検知対象物に応じた処理を行う郵便物の処理装置において、郵便物を立位状態で搬送する立位搬送手段と、この立位搬送手段の搬送端に配置され、立位搬送手段の搬出側に突出して、搬出されフリー状態になった郵便物に接触することで、郵便物を立位状態から搬送方向に対して直交する方向に所定の角度傾斜するように倒す倒しレバーと、
この倒しレバーによって所定の角度に傾斜された郵便物を受け入れ、この郵便物を傾斜した状態で搬送する手段とを備えることを特徴とする。
【００２１】
請求項３記載のものは、多様な厚さ、幅を有する郵便物を一括して受け入れ次段へ供給する供給部と、この供給部から供給された郵便物から自動処理に適さない厚さを有する郵便物を排除し、自動処理に適する厚さの郵便物のみを次段へ供給する厚さ選別部と、この厚さ選別部から供給された郵便物をその上方部位から落とし込み、立位状態にして搬出する立位変換部と、この立位変換部が受け入れた郵便物の幅を検知して、定形外の郵便物を排除し、定形の郵便物のみを次段へ供給する幅選別部と、この幅選別部で選別された定形の郵便物を受入れ、１通ずつ所定間隔で取出すバッファ部と、このバッファ部から取出された郵便物の検知対象物を検知する検知部と、この検知部で検知対象物が検知された郵便物に押印する押印部と、この押印部で押印処理がなされた郵便物を分類して集積する区分集積部とを具備した郵便物の処理装置において、上記幅選別部で排除された定形外の郵便物を受け入れて立位状態で搬送する立位搬送手段と、この立位搬送手段の搬送端に配置され、上記立位搬送手段の搬出側に突出して、搬出されフリー状態になった郵便物に接触することで、郵便物を立位状態から搬送方向に対して直交する方向に所定の角度傾斜するように倒す倒しレバーと、この倒しレバーによって所定の角度に傾斜された郵便物を受け入れ、この郵便物を傾斜した状態で搬送して前記立位変換部へ戻す手段とを有してなるリサイクル部を具備したことを特徴とする。
【００２９】
【実施例】
以下、本発明の一実施例を図面にもとづいて説明する。
図１ないし図３は、本発明の一実施例が組み込まれる郵便物処理装置としての郵便物選別取揃え押印機を概略的に示している。
【００３０】
郵便物選別取揃え押印機 (以下、装置本体とする) １は、区分・押印すべき郵便物Ｍを受け入れる郵便物受入れ部２、および受入れ部を介して取り込まれた郵便物Ｍを、後段の選別部・検知部・押印部に順次供給するための供給部３を有している。
【００３１】
供給部３の後段には、この供給部により供給された郵便物Ｍから自動区分に適さない郵便物Ｍを取り除く厚さ選別部４、および厚さ選別部により区分された郵便物Ｍを、郵便物Ｍの姿勢すなわち長辺方向および短辺方向が所定の方向に向くよう取り揃えるとともに、郵便物Ｍの幅にもとづいて定形郵便物と定形外郵便物とに区分する取り揃え幅選別部５が配置されている。
【００３２】
取り揃え幅選別部５の後段には、取り揃え幅選別部により「定形」と判断された郵便物Ｍの上下、表裏、切手など料額印面の位置および区分情報などを読み取る検知部６、郵便物Ｍの料額印面に日付スタンプすなわち消印を押印する押印部７、および押印部を介して日付スタンプが押印された郵便物Ｍを、予め決められている区分にもとづいて区分集積する区分集積部８などが接続されている。
【００３３】
なお、受入れ部２、供給部３、厚さ選別部４、取り揃え幅選別部５、検知部６、押印部７および区分集積部８の各部を見渡すことができる位置、たとえば、区分集積部８の近傍には、装置本体１の動作を制御するための操作部 (操作パネル) ９が配置されている。
【００３４】
郵便物受入れ部２は、複数の郵便物Ｍ…が載置される受入れ台２１、この受入れ台に載置された郵便物Ｍを、少量ずつ後段の供給部３に送り出す送り出しユニット２２を有している。
【００３５】
供給部３はベルト状に形成され、郵便物受入れ部２の送り出しユニット２２から供給される郵便物Ｍを、斜め上方に搬送することによりならしつつ、後段の厚さ選別部４に向かって搬送する搬送ユニット３１を有している。
【００３６】
供給部３および受入れ部２は、厚さ選別部４の所定の位置を回転軸として、この厚さ選別部とともに移動されることにより、幅選別部５ないし区分集積部８の構造体と直交する方向あるいは直列となる方向 (一直線となる方向) などの任意の方向に、作業スペースに合わせて配列可能に形成されている。
【００３７】
ここでは、図１において受入れ部２および供給部３は、厚さ選別部４の前面側に位置し、幅選別部５ないし区分集積部８の構造体と平行になる配列として示し、図２および図３において受入れ部２および供給部３は、厚さ選別部４の背面側に位置し、幅選別部５ないし区分集積部８の構造体と平行になる配列として示してある。
【００３８】
そして図１は、危険防止上、各構成部に対して必要なカバー構造体１０を覆った状態を示す。
厚さ選別部４は、搬送ユニット３１を介して案内された郵便物Ｍを、予め決められている厚さより薄い (厚さが定形郵便物の範囲内である) 郵便物Ｍと、それ以外の郵便物 (定形外郵便物) Ｍ´を区分するための厚さ選別ユニット４１、この厚さ選別ユニットにより自動区分に適さない (厚さが規定外) として排除された郵便物Ｍ´を図示しないリジェクト部へ案内する手段、厚さが規定範囲内すなわち定形郵便物に該当すると判別された郵便物Ｍを後段の立位変換ユニット５１を介して取り揃え幅選別部５に案内する搬送路４２とコンベア４３などから構成される。
【００３９】
厚さ選別部４と取り揃え幅選別部５の間には、厚さ選別部４のコンベア４３を介して搬送された郵便物Ｍを立位状態にする立位変換部である立位変換ユニット５１が配置される。
【００４０】
取り揃え幅選別部５には、立位変換ユニット５１により立位状態にされた郵便物Ｍの幅が所定の幅の範囲であるか否か、すなわち定形外郵便物を非自動区分として排除する第１および第２の幅選別ユニット５２ａ，５２ｂ、これら第１，第２の幅選別ユニットにより定形郵便物と判別された郵便物Ｍを後段の検知部６へ一通づつ供給する一通取出しユニット５３を備える。
【００４１】
そして、第１および第２の幅選別ユニット５２ａ，５２ｂにより定形外郵便物か否かが判断できなかった郵便物Ｍの幅を再び検知することで，定形外郵便物を再び排除する第３および第４の幅選別ユニット５２ｃ，５２ｄ、および第１ないし第４の幅選別ユニット５２ａ〜５２ｄを介して定形外郵便物であると判断された郵便物Ｍ´を図示しないリジェクト部へ案内する手段などを有している。
【００４２】
なお、立位変換ユニット５１と第１の幅選別ユニット５２ａとの間、第１の幅選別ユニットと第２の幅選別ユニット５２ｂとの間、第２の幅選別ユニットと一通取出しユニット５３との間、一通取出しユニットと第３の幅選別ユニット５２ｃとの間、第３の幅選別ユニットと第４の幅選別ユニット５２ｄとの間、第４の幅選別ユニットと第１の幅選別ユニット５２ａとの間には、各ユニット間に位置されている郵便物Ｍを搬送する搬送路５４ａ，５４ｂ，５４ｃ，５４ｄ，５４ｅおよび５４ｆが、それぞれ配置されている。
【００４３】
一通取出しユニット５３と立位変換ユニット５１との間には、一通取出しユニットにおいてスキュー、ギャップ、二枚取りなど、後段の検知部６での検知対象外の搬送条件にあると認められた郵便物を搬送する搬送路５４ｇが配置されている。
【００４４】
この搬送路５４ｇの立位変換ユニット５１手前側に、後述するリサイクル部１００が配置されている。
また、それぞれの搬送路５４ａ〜５４ｄの所定の位置には、搬送路を通過される郵便物Ｍが搬送路を形成するベルトあるいはローラに巻き込まれたり挟まって折れ曲がることにより生じるジャムを検知するための図示しないジャム検知センサが配置されている。
【００４５】
検知部６は、幅選別部５を介して選別され、一通取出しユニット５３から取り出された定形郵便物Ｍを搬送する導入搬送ユニット６１、この導入搬送ユニットによって順に搬送される郵便物Ｍを一時的に集積するバッファ部であるバッファユニット６２、このバッファユニットに集積された郵便物Ｍを、後段に向かって一通ずつ取出すバッファ取出しユニット６３を備えている。
【００４６】
そしてさらに、バッファ取出しユニット６３により取出された郵便物Ｍの料額印面を検知することで郵便物Ｍへの押印位置を特定するとともに、郵便物Ｍに付与されている区分情報、すなわち普通郵便か速達郵便か等の情報を読取る第１検知ユニット６４、この第１検知ユニットにより料額印面が検知できなかった郵便物Ｍのみ上下 (表裏) を反転して後段に給送する反転ユニット６５、および反転ユニットから給送された郵便物Ｍから最終的に料額印面および区分情報を読み取る第２検知ユニット６６を有している。
【００４７】
また、バッファ取出しユニット６３と第１検知ユニット６４との間、この第１検知ユニットと第２検知ユニット６６との間、第１検知ユニット６４と反転ユニット６５との間、この反転ユニットと第２検知ユニットとの間、第２検知ユニット６６と引き続いて配置される押印部７との間、および押印部と引き続いて配置される区分集積部８との間には、各ユニット間に位置されている郵便物Ｍを搬送する搬送路６７ａ，６７ｂ，６７ｃ，６７ｄ，６７ｅおよび６７ｆが、それぞれ配置されている。
【００４８】
なお、バッファ取出しユニット６３には、取揃え押印部６が単独で利用される場合に、予め厚さおよび幅が選別された定形郵便物Ｍを供給可能な補助供給ユニット６８、およびこの補助供給ユニットに供給された郵便物Ｍを、一通ずつ取出したのちバッファ取出しユニット６３に送出する補助取出しユニット６９が配置されている。
【００４９】
さらに、それぞれの搬送路６７ａ〜６７ｆの所定の位置には、搬送路を通過される郵便物Ｍが搬送路を形成するベルトあるいはローラに巻き込まれたり挟まって折れ曲がることにより生じるジャムを検知するための図示しないジャム検知センサが配置されている。
【００５０】
押印部７は、自身を通過される定形郵便物Ｍに対し、第１および第２の位置、たとえば郵便物Ｍの表面の所定の位置および郵便物Ｍの背面の所定の位置のそれぞれに日付スタンプすなわち消印を押印可能に形成された図示しない第１および第２のスタンプユニットを有している。これにより、郵便物Ｍが立位状態で搬送される場合に、読取り部６の第２検知ユニット６６を介して検出された押印位置に、日付スタンプすなわち消印を押印可能となる。
【００５１】
区分集積部８は、第２検知ユニット６６により読取られた区分情報に応じて駆動されるゲート８１ａ，８１ｂ，８１ｃ，８１ｄ，８１ｅおよび８１ｆと各ゲート８１ａ〜８１ｆによって区分された郵便物Ｍが集積される６個の集積室８２ａ〜８２ｆを有している。
【００５２】
また、各ゲート８１ａ〜８１ｆと各集積室８２ａ〜８２ｆとの間の詳述しない搬送路には、他の搬送路と同様に、搬送路を通過される郵便物Ｍが搬送路を形成するベルトあるいはローラに巻き込まれたり挟まって折れ曲がることにより生じるジャムを検知するための図示しないジャム検知センサが配置されている。
【００５３】
操作パネル９は、装置本体１の各部の動作状態、各部における郵便物Ｍの流れ (移動状態) および各部での郵便物Ｍの万一の詰まり (ジャム) などの一部あるいは全部を表示可能な表示装置９１、装置本体１による選別・取揃え・押印などの動作を開始させるためのスタートスイッチ９２、および装置本体１のジャムなどにともなう装置本体１の各部からの郵便物Ｍのはみ出し (溢れ) あるいは異常動作などに際して、装置本体１の全ての駆動 (可動) 部を緊急停止させる非常停止スイッチ９３などを有している。
【００５４】
上記リサイクル部１００は、図４に示すように構成される。
これは、搬送路５４ｇを搬送された郵便物Ｍを受け入れて立位状態で搬送する立位搬送系101 と、この立位搬送系から搬出される郵便物Ｍを強制的に姿勢変更する手段 102  と、姿勢変更された郵便物Ｍを受け入れて所定の傾斜角度で搬送し、上記立位変換ユニット５１へ搬出する傾斜搬送系103 とから構成される。
【００５５】
上記立位搬送系101 は、床面に対して垂直な軸方向を備えた複数のローラ104 と、これらローラに亘って張設された少なくとも一対のベルト105 からなり、互いのベルト面は接触し、かつ同一の搬送速度で走行駆動される。
【００５６】
立位搬送系101 の後端部と、傾斜搬送系103 の先端部とはオーバラップしており、このオーバラップ部分に上記姿勢変更手段102 としての２本の倒しレバー（第１，第２の倒しレバー）106 ，107 が所定の間隔を存して設けられる。
【００５７】
それぞれの倒しレバー106 ，107 は、立位搬送系101 のベルト105 および傾斜搬送系103 のベルト108 に関わりあいのない位置を選択して垂直に立設される部分と、この頂部から立位搬送系101 の搬出端で、かつ傾斜搬送系の搬入端に向かって水平に突出しており、逆Ｌ字状に形成される。
【００５８】
上流側に位置する第１の倒しレバー106 は、その水平部分のベルト108 からの高さ寸法が、たとえば１２３mmに設定され、下流側に位置する第２の倒しレバー107 は、その水平部分の高さ寸法が、たとえば５８mmに設定される。
【００５９】
上記傾斜搬送系103 は、床面に対して所定の傾斜角度をもって配設される支持板110 に、複数のローラ111 を備え、これらローラに一対のベルト108 ，112 が張設される。これら一対のベルト108 ，112 は、互いの走行速度が同一に設定される。
【００６０】
一方のベルト108 は、上記立位搬送系101 の搬出端部にオーバラップするよう延出される。このベルト108 と他方のベルト112 は、支持板110 の下端部から上端部に亘って、ほぼＳ字状を描くよう互いのベルト面が接触した状態で走行するようになっている。これらベルト108 ，112 のベルト面が合わせされた最上端部は、立位変換ユニット５１の上部に形成される投入口５１ａに対向している。
【００６１】
つぎに、図１ないし図３を参照して、郵便物選別取揃え押印機の動作を簡単に説明する。
まず、多数の郵便物Ｍ…が受入れ部２の受入れ台２１に投入される。ついで、操作パネル９のスタートスイッチ９２がオンされることで、装置全体が動き始める。受入れ台２１に投入された郵便物Ｍ…は、送出ユニット２２から供給部３の搬送ユニット３１へ搬送され、さらに、厚さ選別部４に搬送される。
【００６２】
厚さ選別部４に搬送された郵便物Ｍは、厚さ選別ユニット４１を介して厚さが選別され、定形郵便物の範囲内の厚さを有する定形郵便物Ｍと定形外郵便物および自動区分に適さないと判断された郵便物Ｍ´とに区分される。ここで、定形外郵便物および自動区分に適さないと判断された郵便物Ｍ´は、図示しないリジェクト部に排除される。
【００６３】
定形の厚さの郵便物Ｍは、搬送路４２からコンベア４３に導かれ、このコンベアにより立位変換ユニット５１に搬送されて、ここで立位 (郵便物の搬送状態が面方向から辺方向) 状態に変換され、搬送路５４ａを介して第１の幅選別ユニット５２ａに案内される。
【００６４】
第１の幅選別ユニット５２ａに搬送された郵便物Ｍは、搬送路５４ｂにより第２の幅選別ユニット５２ｂに案内され、郵便物Ｍの幅が検出される。この幅が所定の範囲内である定形郵便物Ｍと、所定の範囲外である定形外郵便物Ｍ´とに区分され、定形郵便物の範囲内であると判別された郵便物Ｍは、搬送路５４ｃを介して一通取出しユニット５３に搬送され、一通ずつ取出されて後段の検知部６へ一通ずつ供給される。定形外郵便物Ｍ´は、後述するようにして搬送路５４ｇからリサイクル部１００へ送出され、さらに立位変換ユニット５１に戻される。
【００６５】
一方、第１および第２の幅選別ユニット５２ａ，５２ｂにより定形外郵便物か否かが判断できなかった郵便物Ｍは、搬送路５４ｄにより第３の幅選別ユニット５２ｃへ搬送され、第３および第４の幅選別ユニット５２ｃ，５２ｄにより、再び郵便物Ｍの幅が検出され、この幅が所定の範囲内である定形郵便物Ｍと所定の範囲外である定形外郵便物Ｍ´とに区分される。
【００６６】
これにより、定形郵便物の範囲内であると判別された郵便物Ｍは、再び、第１および第２の幅選別ユニット５２ａおよび５２ｂを通過されたのち一通取出しユニット５３に搬送され、一通ずつ取出されて後段の検知部６へ供給される。
【００６７】
一通取出しユニット５３により一通ずつ取出された定形郵便物Ｍは、導入搬送ユニット６１を介して検知部６のバッファユニット６２に、順に、集積される。バッファユニット６２に集積された定形郵便物Ｍは、バッファ取出ユニット６３を介して一通ずつ取出され、搬送路６７ａを介して第１検知ユニット６４に案内される。
【００６８】
第１の検知ユニット６４に案内された定形郵便物Ｍは、たとえば色検知方式などによる図示しない検知器により料額印面が検知されたのち、搬送路６７ｂにより第２検知ユニット６６へ案内される。なお、第１検知ユニット６４により料額印面が検知されなかった郵便物Ｍは、反転ユニット６５により郵便物Ｍの表裏が反転されたのち、第２の検知ユニット６６へ送出される。
【００６９】
第２検知ユニット６６へ案内された定形郵便物Ｍは、郵便物Ｍの料額印面の有無や位置、普通郵便か速達郵便か等の区分情報が検知されて、押印部７に送り出される。
【００７０】
押印部７に導かれた定形郵便物Ｍは、図示しない第１および第２のスタンプユニットのいずれかにより、第２検知ユニット６６を介して検出された押印位置すなわち料額印面の位置に、日付スタンプすなわち消印が押印される。
【００７１】
押印部７により日付スタンプが押印された郵便物Ｍは、搬送路６７ｆにより区分集積部８へ案内され、操作パネル９からの入力により、あるいはデータメモリに記憶されている区分データなどにより予め決められている区分情報にもとづいて駆動されるゲート８１ａ〜８１ｆを介して、６個の集積室８２ａ〜８２ｆのいずれかに集積される。
【００７２】
上記リサイクル部１００においては、図５に示すようにして搬送路５４ｇから搬送される郵便物を処理する。
同図（Ａ）に示すように、リサイクル部１００においては、はじめ立位搬送系101 に郵便物Ｍを導いて、これを立位状態で搬送する。立位搬送系101 全長に亘って搬送された郵便物Ｍは、そのまま立位搬送系から離反する。
【００７３】
このとき郵便物Ｍは立位搬送系101 からフリーな状態になるのだが、この搬送系から搬出されたときの慣性力が残って、そのまま搬送方向に移動する。
同図（Ｂ）に示すように、慣性力で移動する郵便物Ｍの先端部は、その高さ寸法に応じて、第１，第２の倒しレバー106 ，107 のいずれか一方に接触して立位状態から強制的に倒される。
【００７４】
すなわち、はじめ上流側にある高さ寸法の高い第１の倒しレバー106 に対向し、高さ寸法が１２３mm以上の郵便物はこのレバーによって強制的に倒される。１２３mm以下の郵便物は第１の倒しレバー106 をくぐり抜けた直後、第２の倒しレバー107 に接触して強制的に倒される。
【００７５】
同図（Ｃ）に示すように、いずれの高さ寸法の郵便物Ｍであっても確実に倒されて、傾斜搬送系103 を構成する傾斜ベルト108 上に載る。そして郵便物Ｍは、このベルト108 と面合わせの状態で走行するベルト112 との間に挟まれた状態で搬送される。このとき、郵便物Ｍの一側面は支持板110 の表面に摺接していて、郵便物の搬送状態が安定する。
【００７６】
再び図４に示すように、郵便物Ｍは傾斜搬送系103 の最上部まで搬送され、この部位において対向して設けられる立位変換ユニット５１の投入口５１ａへ搬出される。
【００７７】
立位変換ユニット５１のユニットの構成は、一対の板体を、上端が広く下端が狭くなるようほぼＶ字状に傾斜させ、この下端開口端に搬出用のローラが設けられるものである。
【００７８】
このユニット５１には、厚さ選別部４から導かれる郵便物Ｍが搬入されており、ここでリサイクル部１００から投入される郵便物と合流する。しかしながら、このユニット５１の構成上、全ての郵便物は円滑に搬出され、ジャムや破損などの不具合の発生がない。
【００７９】
なお、郵便物として５８mm以下のものは定形外であり、ここに到達する以前に排除されているので、特に第２の倒しレバー107 の高さ寸法の設定にはなんらの支障もない。
【００８０】
上流側に高さ位置が高い第１の倒しレバー106 を位置させ、下流側に高さ位置が低い第２の倒しレバー107 を位置したのは、以下の理由による。
すなわち、逆に上流側に高さ位置が低い第２の倒しレバー107 を位置し、下流側に高さ位置が高い第１の倒しレバー106 を位置すると、高さ寸法の低い郵便物は勿論、高さ寸法の高い郵便物が搬送されてきても、全て上流側で高さ位置が低い第２の倒しレバー107 に接触する。
【００８１】
高さ寸法の低い郵便物は理想の状態に倒されて傾斜搬送系103 に導かれるが、高さ寸法の高い郵便物には、その下部に第２の倒しレバー107 が接触し、中途半端な状態で傾斜してしまう。
【００８２】
したがって、この下流側で中途半端に傾斜した高さ寸法が高い郵便物が高さ位置の高い第１の倒しレバー106 に接触しても、傾斜搬送系103 に対して理想の傾斜状態になることは、少しの保証も得られない。
【００８３】
本発明においては、従来のひねりベルトに代えて、倒しレバー106 ，107 を採用した。そのため、ひねりベルトのようなある程度長い必要距離が不要となるとともに、ベルトの調整が不要となって、短い距離で郵便物Ｍの姿勢を確実に変えることができる。しかも、倒しレバー106 ，107 は極く簡素な構造であり、部品費がかからずにすみ、調整が容易にできて調整手間がほとんどかからない。
【００８４】
なお、上記実施例においては郵便物の姿勢変更手段102 として、２本の倒しレバー106 ，107 を備え、これらレバーの位相の相違によって大小の郵便物に対応するようにしたが、これに限定されるものではなく、倒しレバーの形状はもとより、本数を変更してもよく、あるいは倒しレバーに電磁ソレノイドなどの駆動源を連結して動作させるようにしてもよい。
【００８５】
【発明の効果】
第１の発明によれば、郵便物を強制的に姿勢変更する手段として、立位搬送手段の搬出側に突出され、搬出されフリー状態になった郵便物に接触して所定の方向に倒す倒しレバーを用いたから、極く簡素な構造で部品費の削減を得るとともに、極く短距離の範囲で郵便物を確実に姿勢変更でき、信頼性の向上を図れることと装置の小型化を促進できるなどの効果を奏する。
【００８６】
第２の発明によれば、幅選別部で排除された定形外の郵便物を受け入れて、立位変換部へ戻すリサイクル部を備えたから、検知部での検知対象外の搬送条件にある郵便類を最適位置へ戻すようにして、郵便物のジャムや破損を防止し、信頼性および処理能力の向上化を得るなどの効果を奏する。
【図面の簡単な説明】
【図１】本発明の一実施例を示し、郵便物の処理装置である自動選別取揃え押印機の全体構成を示す外観斜視図。
【図２】同実施例で、郵便物の処理を行う処理装置本体部分の構成を概略的に示す平面図。
【図３】同実施例で、郵便物の処理の流れを概略的に示す平面図。
【図４】同実施例で、リサイクル部の構成を示す斜視図。
【図５】（Ａ）ないし（Ｃ）は、リサイクル部における作用を順に説明する図。
【符号の説明】
Ｍ…郵便物、101 …立位搬送系、102 …姿勢変更手段、103 …傾斜搬送系、
106 …第１の倒しレバー、107 …第２の倒しレバー、３…供給部、４…厚さ選別部、５１…立位変換部、５…取り揃え幅選別部、６２…バッファ部、６…検知部、７…押印部、８…区分集積部、１００…リサイクル部。
【図１】
0003691872.tif 000002
【図２】
0003691872.tif 000003
【図３】
0003691872.tif 000004
【図４】
0003691872.tif 000005
【図５】
0003691872.tif 000006